(57)【要約】【課題】排泄前の装飾部の態様を確認することなく排泄の有無を識別することができるとともに、体液の広がりを容易に認識することのできるインジケータを備えた使い捨て着用物品の提供。【解決手段】使い捨て着用物品１０は、少なくともクロッチ域１３の外面において、着色域６０と、枠部分６２と枠部分６２内に位置する少なくとも１つの半透明な窓部分６３とを有する装飾部６１とを含む。複数の装飾部６１が、第１方向Ｅへ間隔を空けて並んで配置されており、装飾部６１の第１方向Ｅにおいて隣接する部分と第１方向Ｅと交差する第２方向Ｆにおいて隣接する部分には着色域６０が位置し、インジケータ４１が第１方向Ｅへ連続的に延びており、窓部分６３において、第１方向Ｅへ縦断するインジケータ４１が外部に視認される。【選択図】図１
2018027138.tif 000002
【特許請求の範囲】
【請求項１】
前ウエスト域と、後ウエスト域と、前記前後ウエスト域間に位置するクロッチ域と、少なくとも前記クロッチ域に位置する吸収体と、前記吸収体の非肌対向面側に配置された、水分との接触によって変色するインジケータとを含む着用物品において、
少なくとも前記クロッチ域の外面において、着色域と、枠部分と前記枠部分内に位置する少なくとも１つの半透明な窓部分とを有する複数の装飾部とを含み、
前記複数の装飾部が、第１方向へ間隔を空けて並んで配置されており、
前記複数の装飾部の前記第１方向において隣接する部分と前記第１方向と交差する第２方向において隣接する部分には前記着色域が位置し、
前記インジケータが前記第１方向へ連続的に延びており、
前記窓部分において、前記第１方向へ縦断する前記インジケータが外部に視認されることを特徴とする着用物品。
【請求項２】
前記インジケータの前記第２方向における寸法が、前記窓部分の前記第２方向における寸法よりも小さい請求項１に記載の着用物品。
【請求項３】
前記複数の装飾部の外形が互いに異なり、前記複数の装飾部の前記窓部分が同一の形態又は異なる形態を有する請求項１又は２に記載の着用物品。
【請求項４】
前記インジケータが変色されることによって、前記装飾部が前記インジケータの変色される前とは異なる形態を有する請求項１〜３のいずれかに記載の着用物品。
【請求項５】
前記着色域は装飾要素を有し、前記装飾要素と前記複数の装飾部とが互いに関連性のあるデザインを有する請求項１〜４のいずれかに記載の着用物品。
【請求項６】
前記複数の装飾部において、前記第２方向における寸法が互いに異なる請求項１〜５のいずれかに記載の着用物品。
【請求項７】
前記第１方向において間隔を空けて配置された複数列をさらに有し、
各列において、前記装飾部が前記第２方向に複数並んで配置されており、
前記第１方向において隣接する前記列どうしにおいて、前記複数の装飾部の個数が互いに異なる請求項１〜６のいずれかに着用物品。
【請求項８】
前記インジケータの前記非肌対向面側には、着色されたデザインを有するイラストシートが位置し、前記イラストシートの前記非肌対向面側には、所定の光線透過率を有する繊維不織布製の外面シートが配置される請求項１〜７のいずれかに記載の着用物品。
【発明の詳細な説明】
【技術分野】
【０００１】
この発明は、使い捨ておむつ、おむつカバー等の使い捨て着用物品に関する。
【背景技術】
【０００２】
特許文献１には、前ウエスト域と、後ウエスト域と、前後ウエスト域間に位置するクロッチ域と、クロッチ域に位置する吸収体と、吸収体の非肌対向面側に配置された水分との接触によって変色するインジケータと、インジケータが透視される窓部分を有する装飾部とを含む使い捨て着用物品が開示されている。
【先行技術文献】
【特許文献】
【０００３】
【特許文献１】特表２００３−５０１２０９公報（Ｐ２００３−５０１２０９）
【発明の概要】
【発明が解決しようとする課題】
【０００４】
特許文献１に開示の使い捨て着用物品では、装飾部の窓部分を介してインジケータが透視されることによって、排泄された体液によってインジケータが変色したときに、装飾部として所定のデザインが現れたり、又は、デザインが消失したりする。かかる装飾部のデザインの変化によって、母親等の着用補助者は、排泄があったことを認識することができる。
【０００５】
しかし、インジケータが変色することによって所定のデザインが現れるのか又は消失するものであるか認識するためには、パッケージの表示等によって変色する前の状態を確認しておく必要がある。また、装飾部において窓部分とそれによって透視されるインジケータとがそれぞれ個別に形成されているので、着用物品の製造工程において、連続的にインジケータを配置することができず、連続的に配置する場合に比べて生産性が低下する。また、各装飾部が規則的に並んでいないことから、体液の広がり状態を認識することができず、着用物品の交換のタイミングを正確に把握することができない。
【０００６】
そこで、本発明の目的は、従来の技術の改良であって、排泄前の装飾部の態様を確認することなく排泄の有無を識別することができるとともに、体液の広がりを容易に認識することのできるインジケータを備えた使い捨て着用物品の提供にある。
【課題を解決するための手段】
【０００７】
上記課題を達成するために、本発明は、前ウエスト域と、後ウエスト域と、前記前後ウエスト域間に位置するクロッチ域と、少なくとも前記クロッチ域に位置する吸収体と、前記吸収体の非肌対向面側に配置された、水分との接触によって変色するインジケータとを含む着用物品に関する。
【０００８】
本発明に係る使い捨て着用物品は、少なくとも前記クロッチ域の外面において、着色域と、枠部分と前記枠部分内に位置する少なくとも１つの半透明な窓部分とを有する複数の装飾部とを含み、前記複数の装飾部が、第１方向へ間隔を空けて並んで配置されており、前記複数の装飾部の前記第１方向において隣接する部分と前記第１方向と交差する第２方向において隣接する部分には前記着色域が位置し、前記インジケータが前記第１方向へ連続的に延びており、前記窓部分において、前記第１方向へ縦断する前記インジケータが外部に視認されることを特徴とする。
【０００９】
本発明に係る使い捨て着用物品の実施態様の一例においては、前記インジケータの前記第２方向における寸法が、前記窓部分の前記第２方向における寸法よりも小さいことから、インジケータの資材の無駄がなく、さらに、窓部分の第２方向の全域にインジケータが配置されていないことから、第２方向においてインジケータの存在する部分を容易に把握できるので、着用補助者に体液の拡がりを視認させることができる。
【００１０】
本発明に係る使い捨て着用物品の実施態様の他の一例においては、前記複数の装飾部の外形が互いに異なり、前記複数の装飾部の前記窓部分が同一の形態又は異なる形態を有することから、着用補助者及び着用者の注意を惹きつけることで、どの形態の窓部分まで変色が進んでいるのか容易に認識することができ、排泄の有無及び体液の拡がりを認識させるとともに、コミュニケーションツールとしての役割を発揮することができる。
【００１１】
本発明に係る使い捨て着用物品の実施態様のさらに他の一例においては、前記インジケータが変色されることによって、前記複数の装飾部が前記インジケータの変色される前とは異なる形態を有することから、着用補助者の注意を惹き、排泄の有無を容易に視認することができる。
【００１２】
本発明に係る使い捨て着用物品の実施態様のさらに他の一例においては、前記着色域は装飾要素を有し、前記装飾要素と前記複数の装飾部とが互いに関連性のあるデザインを有するので、おむつが統一感のある外観を有し、意匠性に優れる。
【００１３】
本発明に係る使い捨て着用物品の実施態様のさらに他の一例においては、前記複数の装飾部において、前記第２方向における寸法が互いに異なるので、第１方向のみならず第２方向における体液の拡がり度合いを確認することができる。
【００１４】
本発明に係る着用物品の実施態様のさらに他の一例においては、前記第１方向において間隔を空けて配置された複数列をさらに有し、各列において、前記装飾部が前記第２方向に複数並んで配置されており、前記第１方向において隣接する前記列どうしにおいて、前記複数の装飾部の個数が互いに異なるので、複数の装飾部によって集合的なデザインを有するとともに、第１方向のみならず第２方向における体液の拡がり度合いを確認することができる。
【００１５】
本発明に係る着用物品の実施態様のさらに他の一例においては、インジケータの前記非肌対向面側には、着色されたデザインを有するイラストシートが位置し、前記イラストシートの前記非肌対向面側には、所定の光線透過率を有する繊維不織布製の外面シートが配置されることから、衣服との摩擦によって着色塗料が剥がれるおそれはなく、また、外面シートを介して透視されることによって、淡い優しい色合いとすることができる。
【発明の効果】
【００１６】
本発明に係る使い捨て着用物品は、複数の装飾部が、第１方向へ間隔を空けて並んで配置されており、装飾部の第１方向において隣接する部分と第１方向と交差する第２方向において隣接する部分には着色域が位置し、インジケータが第１方向へ連続的に延びており、窓部分において第１方向へ縦断するインジケータが外部に視認されることから、第１方向における体液の広がりを容易に視認することができるとともに、第１方向へ並ぶ装飾部ごとに個別にインジケータを配置するものではないので、個別に配置する場合に比べて、インジケータの配置工程がより簡易である。
【図面の簡単な説明】
【００１７】
図面は、本開示に係る本発明の特定の実施の形態を示し、発明の不可欠な構成ばかりでなく、選択的及び好ましい実施の形態を含む。
【図１】本開示に係る使い捨て着用物品の一例として示す使い捨ておむつの斜視図。
【図２】おむつを肌対向面側から視た、一部破断展開平面図。
【図３】図２のＩＩＩ−ＩＩＩ線に沿う断面図。
【図４】おむつを非肌対向面側から視た、展開平面図。
【図５】（ａ）排尿前のインジケータの様子を示す、図１においてＶ（ａ）で囲んだ領域の一部拡大図。（ｂ）排尿後のインジケータの様子を示す、図５（ａ）と同様の一部拡大図。
【図６】（ａ）表１のΔＥ０１を縦軸、Ｌ１を横軸としたグラフ。（ｂ）図１０（ｂ）は、表１のΔＬ０１を横軸、ΔＥ０１を縦軸としたグラフ。
【図７】（ａ）変形例１における図５（ａ）と同様の図。（ｂ）変形例２における図５（ａ）と同様の図。
【図８】（ａ）変形例３における図５（ａ）と同様の図。（ｂ）変形例３における図５（ｂ）と同様の図。
【図９】（ａ）変形例４における図５（ａ）と同様の図。（ｂ）変形例５における図５（ａ）と同様の図。
【図１０】変形例６における図１と同様の図。
【発明を実施するための形態】
【００１８】
下記の実施の形態は、本発明の一例である図１〜図１０に示す、本発明に係る使い捨て着用物品の一例として示す、使い捨ておむつ（以下、単に、おむつ）１０に関し、発明の不可欠な構成ばかりではなく、選択的及び好ましい構成を含む。図２において、後述する各弾性体は、その収縮力に抗して、横方向Ｘ及び縦方向Ｙへの収縮力により、各弾性体が取り付けられた部材に生じたギャザーが自然な視覚によって実質的に無くなっているように見える程度にまで伸長された状態にある。
【００１９】
図１〜図３を参照すると、おむつ１０は、縦方向Ｙ及びそれに交差する横方向Ｘと、厚さ方向Ｚと、肌対向面及びその反対側の非肌対向面と、横方向Ｘの長さ寸法を二等分する縦断中心線Ｐと、縦方向Ｙの長さ寸法を二等分する横断中心線Ｑとを有し、縦断中心線に関してほぼ対称であり、前ウエスト域１１と、後ウエスト域１２と、前ウエスト域１１および後ウエスト域１２の間に位置するクロッチ域１３とを含む。クロッチ域１３は、説明の便宜上、横断中心線Ｑよりも前ウエスト域１１側に位置する前方区域１３Ａと、横断中心線Ｑよりも後ウエスト域１２側に位置する後方区域１３Ｂとに区分されている。
【００２０】
おむつ１０は、前ウエスト域を形成する前ウエストパネル１４と、後ウエスト域を形成する後ウエストパネル１５とから構成されたウエストパネル１６と、前後ウエストパネル１４，１５間において縦方向Ｙへ延び、クロッチ域１３を形成する吸収パネル１７とを有する。吸収パネル１７は、前ウエストパネル１４の肌対向面側に位置する前端部と、後ウエストパネル１５の肌対向面に位置する後端部と、前後端部間に位置する中間部とを有する。本実施形態において、吸収パネル１７の前後端部は、それぞれ、前後ウエスト域１１，１２の肌対向面側に位置しているが、前後端部が前後ウエスト域１１，１２の非肌対向面に位置するように、吸収パネル１７を前後ウエストパネル１４，１５の外面に固定してもよい。
【００２１】
前ウエスト域１１の両側縁部と後ウエスト域１２の両側縁部とは、縦方向Ｙへ離隔して配置された複数のシーム１８によって互いに接合され、ウエスト開口１９と一対のレッグ開口とが画成されている。シーム１８は、ホットメルト接着剤等の各種接着剤による接着手段、ヒートシール、ソニック等の溶着手段による各種公知の接合手段またはそれらの組み合わせによって形成することができる。
【００２２】
前ウエストパネル１４は、前レッグ開口の一部を形成する内端縁（前ウエスト域の内端縁）１４ａと、前ウエスト開口を形成する外端縁（前ウエスト域の外端縁）１４ｂと、内外端縁１４ａ，１４ｂ間において縦方向Ｙへ延びる両側縁１４ｃ，１４ｄ（前ウエスト域の両側縁）とによって画定された横長矩形状を有する。また、前ウエストパネル１４は、肌対向面側に位置する不透液性の内層シート２３と、非肌対向面側に位置する不透液性の外層シート２４と、内外層シート２３，２４間において、横方向Ｘへ伸長状態で収縮可能に配置された複数条のストランド状又はストリング状の前ウエスト弾性体２５とを有する。
【００２３】
後ウエストパネル１５は、後レッグ開口の一部を形成する内端縁（後ウエスト域の内端縁）１５ａと、後ウエスト開口を形成する外端縁（後ウエスト域の外端縁）１５ｂと、内外端縁１５ａ，１５ｂ間において縦方向Ｙへ延びる両側縁（後ウエスト域の両側縁）１５ｃ，１５ｄとを有する。後ウエストパネル１５は、肌対向面側に位置する不透液性の内層シート２６と、非肌対向面側に位置する疎水性及び／又は不透液性の外層シート２７と、内外層シート２６，２７間において、横方向Ｘへ伸長状態で収縮可能に配置された複数条のストランド状又はストリング状の後ウエスト弾性体２８とを有する。
【００２４】
吸収パネル１７は、前後端縁１７ａ，１７ｂと両側縁１７ｃ，１７ｄとによって画定された縦長方形状であって、前後端部が前後ウエストパネル１４，１５の肌対向面にホットメルト接着剤を塗布してなる前後接合域（図示せず）を介して互いに接合されている。前後接合域におけるホットメルト接着剤の塗布パターンは、例えば、縦方向Ｙへ延びる複数のライン状のほかに、Ω状、スパイラル状、波状等の各種公知の形状を採用することができる。
【００２５】
吸収パネル１７は、吸収体３０と、吸収体の肌対向面側に位置する透液性の内面シート（身体側ライナ）３１と、吸収体の非肌対向面側に位置する外面シート３４と、吸収体３０と外面シート３４との間に配置されたインジケータ４１とを有する。また、吸収パネル１７は、インジケータ４１の非肌対向面側に位置する、着色されたイラストシート３５をさらに有する。
【００２６】
吸収体３０は、所要の形状に賦形された半剛性のパネル形状であって、横方向Ｘへ延びる前後端縁と、前後端縁間において縦方向Ｙへ延びる両側縁とを有する。吸液性コアは、フラッフ木材パルプと、超吸収性ポリマー粒子（ＳＡＰ）との混合物から形成されている。また、コアラップシートは、吸収体３０の保形及び体液の拡散をするためのシートであって、比較的に肉薄の親水性シート、ティッシュペーパ等から形成される。
【００２７】
外面シート３４は、疎水性又は実質的に不透液性のシート材料から形成されており、例えば、質量約１５〜３０ｇ／ｍ２のＳＭＳ繊維不織布やスパンボンド不織布等から形成される。イラストシート３５は、好ましくは通気性を有する、疎水性のシート材料、例えば、疎水性の繊維不織布や通気性プラスチックフィルムから形成され、外面シート３４と対向するイラスト面３５Ａにおいて、印刷等の公知の着色加工によって着色された部分を有する。外面シート３４は、イラストシート３５の着色部分がおむつ１０の外面に透視される程度の光線透過率を有し、具体的には、少なくとも６０％以上の光線透過率（ＪＩＳ  Ｋ  ７３７５に準拠して測定）を有することが好ましい。イラストシート３５のイラスト面３５Ａは、全体的又は部分的に白色以外の無彩色又は有彩色に着色されており、イラストシート３５の着色された部分はクロッチ域１３において外面シート３４を介して透視可能である。
【００２８】
外面シート３４は、厚さ方向Ｚにおいて吸収体３０の底面と対向する主体部と、主体部分の横方向Ｘの外側に位置する両側部３４Ａとを有する。外面シート３４の主体部は、吸収体３０の非肌対向面側に位置しており、両側部３４Ａは、縦方向Ｙへ延びる一対の折曲ラインに沿って内面シート３１の肌対向面側に重なるように横方向Ｘの内側へ折り曲げられた状態で固定されている。両側部３４Ａは、前後ウエスト域１１，１２において内面シート３１に固定された前後固定端部と、前後固定端部間において縦方向Ｙへ延びる両側固定部と、両側固定部の横方向Ｘの内側において縦方向Ｙへ延びる自由縁部５１とを有する。自由縁部５１は、外面シート３４の一部を折り曲げた状態で固定した部位から形成されており、自由縁部５１には、ストリング状又はストランド状のカフ弾性体５２が伸長状態で収縮可能に取り付けられている。また、吸収パネル１７の両側縁部において、外面シート３４の両側部３４Ａとイラストシート３５との間には、縦方向Ｙへ延びるストリング状又はストランド状のレッグ弾性体５３が伸長状態で収縮可能に取り付けられている。
【００２９】
インジケータ４１は、第１方向Ｅへ延び、かつ、互いに第２方向Ｆにおいて離間する複数のライン状を有し、体液等の水分と接触して変色する（呈色反応を示す）指示薬（例えば、ＰＨ指示薬）を含むホットメルト接着剤から形成される。インジケータ４１は、後記の窓部分６３以外の色を有し、呈色反応する前の状態において、おむつ１０の外面からその存在を視認することができる。本実施形態において、インジケータ４１は、おむつ１０の縦方向Ｙへ延在していることから、第１方向Ｅは縦方向Ｙと一致し、第２方向Ｆは横方向Ｘと一致する。ただし、後記の本発明の効果を奏する限りにおいて、第１方向Ｅは縦方向Ｙと一致せずに、縦断中心線Ｐ又は／及び横断中心線Ｑと傾斜して延びる方向であってもよいし、第２方向Ｆはかかる第１方向Ｅと交差する方向であってもよい。インジケータ４１は、装飾部６１と重なる位置に配置されていればよく、クロッチ域１３の全体又はその一部が前後ウエスト域１１，１２へ延在していてもよい。
【００３０】
図２〜４を参照すると、少なくともクロッチ域１３の外面には、着色域６０と、クロッチ域１３の前方区域１３Ａにおいて縦方向Ｙへ（又は、第１方向Ｅへ）互いに間隔を空けて並ぶ複数の装飾部６１とが位置する。着色域６０と装飾部６１とは、おむつ１０を構成する各シート部材が有する白色以外の色に着色された領域であって、イラストシート３５の外面シート３４と対向するイラスト面３５Ａに印刷された着色部分が外面シート３４を介して外部に透視されたものである。図示例においては、装飾部６１の形状は、単なる円形であるが、三角形や矩形等の図形、幾何学模様、絵柄、文字柄等の各種公知の装飾要素から形成することができる。装飾部６１及びインジケータ４１からなるインジケータ手段は、クロッチ域１３の前方区域１３Ａのみならず後方区域１３Ｂにも位置していてもよいし、前後ウエスト域１１，１２に配置されていてもよい。また、着色域６０とそれに囲まれた装飾部６１とは外面シート３４に印刷によって着色された部分から形成されていてもよく、かかる場合には、吸収体３０内にイラストシート３５を配置しなくてもよい。なお、イラストシート３５が吸収体３０の前後端部と重なるように縦方向Ｙにおいて延在する場合には、前後ウエスト域１１，１２にもイラストシート３５のイラスト面３５Ａが位置するが、弾性ウエストパネル１６によって被覆されているので、前後ウエスト域１１、１２の外面において着色域６０が形成されることはない。
【００３１】
また、装飾部６１は、その外形輪郭を形成する枠部分６２と、枠部分６２内に位置する少なくとも半透明の窓部分６３とを有する。窓部分６３は、好ましくは、枠部分６２とは異なる色を有し、本実施形態においては、イラストシート３５の非着色部分からなる白色を有する。このように、窓部分６３が白色を有することによって、有色のインジケータ４１が容易に透視される。ただし、インジケータ４１が視認される限りにおいて、窓部分６３は白色以外の淡いピンク色や淡い青色等であってもよい。
【００３２】
本明細書において、「着色された色が異なる」とは、補色を含めて色相環において離れて位置する色のことを意味する。また、着色された色が同系色とは、色相環で近い色にある色のことを指し、明度差が小さい場合には色相差があっても視覚的には同色に視認されるため、明度差も考慮に入れて同系色かどうかを判断する。色相環を用いることのほかに、コニカミノルタ株式会社製の色彩色差計ＣＲ−３００シリーズを用いて、各着色された部分のＬ値、ａ値及びｂ値を測定して異色又は同系色を判断してもよい。
【００３３】
装飾部６１の枠部分６２は、装飾部６１の第１方向Ｅ及び第２方向Ｆにおいて隣接する部分に位置する着色域６０との境界を形成するための輪郭ラインを形成する部位を有することに加えて、装飾部６１のデザインによっては、そのデザインを形成するための装飾要素（キャラクターの目や鼻等）となる部位を有する。枠部分６２の輪郭ラインは、連続ラインから形成されていてもよいし、複数のドットが連なってライン状に形成されたものであってもよい。
【００３４】
図５（ａ）を参照すると、排尿前の状態において、インジケータ４１は、窓部分６３と異なる色を有することによって、おむつ１０の外面において視認されている。したがって、例えば、インジケータ４１が排尿後に呈色して初めて視認される場合には、着用補助者がインジケータ４１が視認される前の形態を記憶している必要があり、おむつ１０のパッケージ等にその旨の説明を表示する必要があるが、本実施形態においては、インジケータ４１は、予め半透明の窓部分６３において視認されるものであるから、形態は変化せずにその色の変化のみで排尿の有無を認識することができるので、排尿前（呈色前）の形態を認識しておく必要がない。
【００３５】
図５（ｂ）を参照すると、排尿後において、各装飾部６１の窓部分６３において第１方向Ｅへ縦断するインジケータ４１が窓部分６３と異なる色又はそれと同じ色に変色してイラストシート３５と外面シート３４とを介して外部に視認されることによって、着用補助者は、着用者が排尿したことを認識することができる。インジケータ４１が、装飾部６１を縦断するように配置されていることによって、着用補助者の注意を惹きつけ、インジケータ４１の色の変化を瞬時に識別することができる。また、装飾部６１が、第１方向Ｅへ間隔を空けて配置されていることによって、例えば、排尿された尿量が僅かの場合には、最もクロッチ域１３側に位置する第１装飾部６１Ａ内のインジケータ４１のみが変色し、第２及び第３装飾部６１Ｂ，６１Ｃ内のインジケータ４１が変色せず、着用補助者は尿量が少ないことを認識することができる。したがって、第２及び第３装飾部６１Ｂ，６１Ｃ内のインジケータ４１が変色するまで、すなわち、さらに排尿がなされるまでおむつ１０の交換を控えることによって、おむつ１０の適正な交換時期を把握し、交換回数を減らしてより経済的に使用することができる。
【００３６】
装飾部６１が第１方向Ｅへ間隔を空けて（断続的に）配置されているのに対し、インジケータ４１が第１方向Ｅへ連続的に延びている。このように、インジケータ４１を連続的に配置することによって、インジケータ４１を装飾部６１ごとに個別に配置するように第１方向Ｅへ非連続的に延びている場合に比べて、おむつ１０をより簡易に製造することができる。すなわち、後者の場合には、吸収体の肌対向面側に非連続的に配置されたインジケータ４１が装飾部６１の窓部分６３と重なるように位置合わせをする必要があり、おむつ１０の高速生産において生産性が低下するおそれがある。一方、本実施形態のようにインジケータ４１を第1方向Ｅへ連続的に延在する場合には、例えば、製造装置の機械方向ＭＤへインジケータ４１を形成するホットメルト接着剤を連続的に塗布すればよく、第１方向Ｅへ並ぶ装飾部６１と位置合わせをする必要がないので、おむつ１０の高速生産の妨げとなって生産性が低下するおそれはない。
【００３７】
装飾部６１を取り囲むように、第１方向Ｅ及び第２方向Ｆの隣接する部分に着色域６０が配置されることによって、第１方向Ｅへ連続的に延びるインジケータ４１を断続的に視認させるためには、イラストシート３５に印刷された着色部分の色合いによって調整することができる。すなわち、少なくとも第１方向Ｅにおいて装飾部６１Ａ〜６１Ｃどうしが離間する部位（マスキング部位）６５におけるイラストシート３５の着色部分の色が、装飾部６１Ａ〜６１Ｃの窓部分６３を形成するイラストシート３５の着色部分の色よりも濃いことが必要になる。離間する部位６５によってインジケータ４１がマスキングされてその色が識別できない場合（識別不可）には、インジケータ４１を断続的に視認させることができ、一方、離間する部位６５によってマスキングすることができずにインジケータ４１の色が識別できる場合には、インジケータ４１が連像的に視認されることになり、離間する部位６５がマスキング部位としての機能を果たしていないといえる。
【００３８】
ここで、離間する部位６５と窓部分６３との色の濃さの相違は、色差があること又は光線透過率が相異することを意味する。色差は、公知の色彩色差計によって対象となる着色部分のＬ＊値、ａ＊値及びｂ＊値を測定し、光線透過率は、ＪＩＳ  Ｋ  ７３７５に準拠して測定することができる。
【００３９】
例えば、離間する部位６５と窓部分６３との適正な色の濃さの相違は、色彩色差計によるＬ＊値、ａ＊値及びｂ＊値を測定して求めることができる。Ｌ＊ａ＊ｂ＊表式で、基準となるインジケータ４１の色を（Ｌ０，ａ０，ｂ０）として、インジケータ４１をマスキングする離間する部位６５の色を（Ｌ１，ａ１，ｂ１）とすると、インジケータ４１の色と離間する部位６５の色との色差は、ΔＥ０１＝｛（ΔＬ０１）２×（Δａ０１）２＋（Δｂ０１）２｝１／２（ΔＬ０１＝Ｌ１−Ｌ０，Δａ０１＝ａ１−ａ０，Δｂ０１＝ｂ１−ｂ０）で表される。
【００４０】
【表１】
2018027138.tif 000003
【００４１】
表１は、インジケータ４１が黄色に近い色（Ｌ０，ａ０，ｂ０）＝（８７．２６，−４．５４，５１．２６）であって、それを基準色として離間する部位６５として各種色を有するサンプルＡ〜Ｓの色差を測定した。サンプルＡ〜Ｓは、順に、白色、オレンジ色、赤色、レモンイエロー色、薄ピンク色、濃ピンク色、ピンク色（背景色）、紫色、水色、薄青色、薄紺色、黄緑色、濃紺色、濃青色、スカイブルー色、山吹色、水色（背景色）、薄灰色、濃灰色を有する。各サンプルのＬａｂ値を測定するとともに、それらの基準色との差（ΔＬ０１，Δａ０１，Δｂ０１）及び色差（ΔＥ０１）を求めて表１に記入した。そして、目視によってインジケータ４１と各サンプルとがマスキングできるか否かを判定した。判断結果は、表１において、マスキングできた場合（識別不可）は「○」、マスキングできない場合（識別可）は「×」、どちらともいえない場合は「△」で示した。また、図６（ａ）（ｂ）においては、各サンプルの判別結果として、「マスキング可」は黒色のドット、「マスキング不可」は白抜きのドットで示した。
【００４２】
図６（ａ）は、表１のＬ１を横軸、ΔＥ０１を縦軸としたグラフである。図６（ａ）を参照すると、インジケータ４１をマスキングする離間する部位６５の明度Ｌ１が小さい（色が黒色に近い）場合には、色差ΔＥ０１が大きくてもマスキングが可能であり、また、明度Ｌ１が大きい（色が白色に近い）場合には、色差ΔＥ０１が小さければマスキングとしての役割を果たすことができる。したがって、マスキングとして機能する離間する部位６５の色の領域は、境界ラインＫ１を用いて、以下のように表すことができる。
ΔＥ０１≦０．０３９３Ｌ１２−７．８５８８Ｌ１＋４０９．８４（＝Ｋ１）
【００４３】
図６（ｂ）は、表１のΔＬ０１を横軸、ΔＥ０１を縦軸としたグラフである。図６（ｂ）を参照すると、基準となるインジケータ４１の色が定まっていない場合には、図６（ａ）の横軸を明度Ｌ１から明度差ΔＬ０１に置き換えることで、マスキングとして機能する離間する部位６５の色を表すことができる。明度差Δ０１が小さい場合には、色差ΔＥ０１が大きくてもマスキングが可能であり、また、明度差ΔＬ０１が大きい場合には、色差ΔＥ０１が小さければマスキングとしての役割を果たすことができる。したがって、マスキングとして機能する離間する部位６５の色の領域は、境界ラインＫ２を用いて、以下のように表すことができる。
ΔＥ０１≦０．０３９３ΔＬ０１２−１．００１３ΔＬ０１＋２３．２８４（＝Ｋ２）
【００４４】
また、インジケータ４１の第２方向Ｆにおける寸法（幅寸法）が、窓部分６３の第２方向Ｆにおける寸法（幅寸法）よりも小さくなっている。このように、インジケータ４１の幅寸法が窓部分６３の幅寸法よりも小さいことによって、インジケータ４１を形成するホットメルト接着剤の塗布量を必要最小限度に抑えることができ、生産コストを低減させることができる。また、本実施形態においては、インジケータ４１が、互いに第２方向Ｆにおいて離間し、かつ、第１方向Ｅへ延びる複数のラインから形成されていることから、全体として比較的に幅広の１条ラインによって形成されている場合に比して塗布量を抑えることができるとともに、各ライン間に位置する窓部分６３との色のコントラストによって、インジケータをより明瞭に視認させることができる。
【００４５】
装飾部６１の枠部分６２は、装飾部６１を囲む着色域６０と異なる色に着色されていることが好ましい。枠部分６２が着色域６０と異なる色を有することによって、装飾部６１の外形輪郭が明瞭になり、装飾部６１のデザインによって意匠効果を高めることができるとともに、インジケータ４１がより目立って識別要素としての役割をより発揮することができるからである。また、枠部分６２は、ドライ時のインジケータの色及びウエット時のインジケータ４１の色と異なる色に着色されていることが好ましい。かかる場合には、インジケータ４１の変色がより明瞭になり、容易に排尿の有無を識別することができるからである。
【００４６】
＜変形例１＞
図７（ａ）を参照すると、本変形例においては、第１装飾部６１Ａがクローバー形状、第２装飾部６１Ｂが星形状、第３装飾部６１Ｃが円形状を有し、各装飾部６１Ａ〜６１Ｃは、互いに異なる外形を有する。このように、各装飾部６１Ａ〜６１Ｃが互いに異なる外形を有することによって、着用補助者が着用者に対して「星形状の部分までインジケータ４１の色が変わったね」等の言葉を掛けることができ、尿の広がり度合いや尿量をこれらのデザインを用いた表現によって伝えることができるので、各装飾部が同一の形状を有する場合に比べて、コミュニケーションツールとしての役割をより効果的に発揮することができ、着用補助者及び着用者の好奇心を惹き付けることができる。
【００４７】
本変形例においては、各装飾部６１Ａ〜６１Ｃの外形が異なるとともに、窓部分６３の形態も異なっているが、窓部分６３の形態が同一であってもよい。すなわち、各装飾部６１Ａ〜６１Ｃが円形状、星形状及びクローバー形状等各種異なる外形であっても窓部分６３が同一の円形状であってもよく、かかる場合には、各装飾部において変色したインジケータ４１が同じように現れるので、変色した位置によって尿の広がりを把握することができる。
【００４８】
＜変形例２＞
図７（ｂ）を参照すると、本変形例においては、一つの装飾部６１の窓部分６３内に複数の着色された装飾部分７１−７３が配置されている。このように、窓部分６３内に複数の着色された装飾部分７１−７３が配置されていることによって、第１方向Ｅへ連続して延びているインジケータ４１が第１方向Ｅへ断続的に延びているように視認させることができる。第１方向Ｅへ連続的に延びるインジケータ４１を断続的に延びているように視認させることによって、装飾部６１のデザインをより立体的に表すことができる。
【００４９】
＜変形例３＞
図８（ａ）を参照すると、本変形例においては、各装飾部６１は、それらの外形が同じであって、複数の窓部分６３Ａ，６３Ｂを有している。具体的には、各装飾部６１Ａ〜６１Ｃは、動物等のキャラクターの顔のデザインを有し、インジケータ４１は窓部分６３Ａ，６３Ｂの全体に位置しており、変色前のインジケータ４１の色とそれを囲む枠部分６２の色が同じである。装飾部６１の枠部分６２は、着色域６０との境界となる輪郭部位のほかにキャラクターの目や鼻の装飾部位を有している。したがって、装飾部は、キャラクターの顔のデザインという全体的な造形物の中に、枠部分６２から形成された目や鼻等の異なる造形物を有しているといえる。
【００５０】
図８（ｂ）を参照すると、かかる状態において、排尿後にインジケータ４１が変色することによって、各装飾部を形成するキャラクターの顔の目の下に、涙形状のデザインが現れる。このように、排尿後にインジケータ４１が変色することによって、装飾部６１が排尿前と異なる形態を有し、排尿の有無を容易に識別することができる。また、排尿後において、キャラクターが涙を流しているような形態に変化して、キャラクターが泣くという新たな観念を生じることによって、着用補助者及び着用者の注意をさらに惹きつけることができる。したがって、装飾部６１の外観上及び観念上の変化によって、着用補助者に対してより明確に排尿の有無を識別させることができ、また、着用者との間のコミュニケーションツールとしての役割を発揮することができる。
【００５１】
＜変形例４＞
図９（ａ）を参照すると、本変形例においては、装飾部６１Ａ〜６１Ｃにおいて、互いに第２方向Ｆの寸法（幅寸法）が相異している。具体的には、クロッチ域１３側から前ウエスト域１１側へ向かって幅寸法が大きくなっており、幅寸法の相関関係は、第３装飾部６１Ｃ＞第２装飾部６２Ｂ＞第１装飾部６１Ａとなっている。このように、クロッチ域１３側から前ウエスト域１１側へ向かって装飾部６１Ａ〜６１Ｃの幅寸法が大きくなることによって、吸収体３０における体液の広がりを第１方向Ｅのみならず第２方向Ｆにおいても視覚的に認識することができる。
【００５２】
＜変形例５＞
図９（ｂ）を参照すると、本変形例においては、クロッチ域１３は、その外面において、同形同大の複数の装飾部６１が、第１方向Ｅへ間隔を空けて配置された複数列をさらに有する。各列において、装飾部６１が第２方向Ｆにおいて間隔を空けて複数配置されている。装飾部６１が、かかる配置態様を有することによって、全体的にひし形状の集合デザインを有し、例えば、集合デザインのうちの中央部分を着用者の排泄口と対向するように配置することによって、排尿直後の広い範囲において変色されたインジケータ４１が視認され、着用補助者に着用者が排尿したことを瞬時かつ確実に知らせることができる。
【００５３】
＜変形例６＞
図１０を参照すると、本変形例においては、前ウエスト域１１の内外層シート２３，２４の間に着色域６０と同じ又は異なる色に着色されたデザインを有するシート（図示せず）が介在されていることによって、前ウエスト域１１の外面において、外層シート２４を介して透視される複数の装飾要素８１，８２が配置される。クロッチ域１３の外面に位置する装飾部６１Ａ，６１Ｂと前ウエスト域１１の装飾要素８１，８２とは、互いに関連性のあるデザインを有している。ここで、関連性のあるデザインとは、（１）装飾部と装飾要素とが、同形同大の形状又は相似形状を有すること、（２）装飾部と装飾要素とが、互いに同一又は異なる形状を有し、ひとつの纏まったデザイン（集合デザイン）を形成すること、（３）装飾部と装飾要素とが、それぞれ、任意の物語に登場するキャラクターのデザインを有し、任意の物語を連想させるなどの観念上の関連性があることのいずれかに該当することを意味する。
【００５４】
図示した態様では、装飾部６１が花柄のデザインを有し、前ウエスト域１１に位置する着色域６０の第１装飾要素８１が装飾部６１と同じ花柄のデザイン、第２装飾要素８２が水差しのデザインであって、装飾部６１と第１装飾要素８１とは互いに外観上関連性のあるデザインを有し、装飾部６１と第２装飾要素８２とは互いに観念上関連性のあるデザインを有する。また、装飾部６１及び装飾要素８１，８２は、全体としてひとつの纏まった集合的なデザインを形成している。このように、おむつ１０の外面全体が外観上又は／及び観念上関連性のあるデザインを有することによって、おむつ１０の外観の意匠性を向上させることができる。
【００５５】
図示していないが、使い捨ておむつ１０は、サイドシーム１８によって前後ウエスト域１１，１２が予め連結されているプルオンタイプ（パンツ型）のおむつのほかに、テープファスナによって前後ウエスト域１１，１２を連結して使用する、いわゆる、オープンタイプ（開放型）のおむつであってもよく、おむつ１０がかかる構成態様であっても、インジケータ４１は排尿の有無や体液の拡がりを識別するための表示として機能しうる。本発明の使い捨て着用物品を構成する各構成部材には、明細書に記載されている材料のほかに、この種の物品において通常用いられている各種公知の材料を制限なく用いることができる。また、明細書及び特許請求の範囲において、「第１」〜「第３」等の用語は、同様の要素、位置等を単に区別するために用いられる。
【符号の説明】
【００５６】
１０    使い捨て着用物品（使い捨ておむつ）
１１    前ウエスト域
１２    後ウエスト域
１３    クロッチ域
３０    吸収体
３４    外面シート
３５    イラストシート
４１    インジケータ
６０    着色域
６１    装飾部
６１Ａ  装飾部（第１装飾部）
６１Ｂ  装飾部（第２装飾部）
６１Ｃ  装飾部（第３装飾部）
６２    枠部分
６３    窓部分
８１    装飾要素（第１装飾要素）
８２    装飾要素（第２装飾要素）
Ｅ  第１方向
Ｆ  第２方向
【図１】
2018027138.tif 000004
【図２】
2018027138.tif 000005
【図３】
2018027138.tif 000006
【図４】
2018027138.tif 000007
【図５】
2018027138.tif 000008
【図６】
2018027138.tif 000009
【図７】
2018027138.tif 000010
【図８】
2018027138.tif 000011
【図９】
2018027138.tif 000012
【図１０】
2018027138.tif 000013